(57)【要約】  バッテリポーチについて説明される。バッテリポーチは、外層と、外層に配置された内層と、を含む。内層は、少なくとも１つのセンサを含む。
2021536585.tif 000002
【特許請求の範囲】
【請求項１】
バッテリポーチであって、
外層と、
前記外層上に配置され、少なくとも１つのセンサを含む内層と、を含む、バッテリポーチ。
【請求項２】
前記センサは、測温抵抗体である、請求項１に記載のバッテリポーチ。
【請求項３】
前記センサは、測温抵抗体のアレイを含む、請求項１に記載のバッテリポーチ。
【請求項４】
前記測温抵抗体のアレイは、８つの測温抵抗体を含む、請求項３に記載のバッテリポーチ。
【請求項５】
前記センサは、圧力センサである、請求項１に記載のバッテリポーチ。
【請求項６】
前記圧力センサは、ひずみゲージである、請求項５に記載のバッテリポーチ。
【請求項７】
前記圧力センサは、静電容量センサである、請求項５に記載のバッテリポーチ。
【請求項８】
前記センサは、前記内層の表面上に形成される、請求項１に記載のバッテリポーチ。
【請求項９】
前記センサは、前記内層の表面上に積層される、請求項１に記載のバッテリポーチ。
【請求項１０】
前記測温抵抗体のうちの少なくとも１つは、ヒータとして構成される、請求項４に記載のバッテリポーチ。
【請求項１１】
バッテリポーチ用のセンサを形成するための方法であって、
金属層をポリマーフィルム上に形成することと、
前記バッテリポーチ内に配置されるように構成された１つ以上のセンサを前記金属層に形成することと、を含む方法。
【請求項１２】
前記金属層をポリマーフィルム上に形成することは、金属を前記ポリマーフィルム上にスパッタリングすることを含む、請求項１１に記載の方法。
【請求項１３】
前記金属は、ニッケルである、請求項１２に記載の方法。
【請求項１４】
１つ以上のセンサを前記金属層に形成することは、
フォトレジスト層を前記金属層の上に付着させることと、
前記フォトレジスト層にパターンを形成することと、
１つ以上のセンサを形成するように前記金属層をエッチングすることと、を含む、請求項１１に記載の方法。
【請求項１５】
１つ以上のセンサを前記金属層に形成することは、レーザーアブレーションを使用して前記金属層にパターンを形成することを含む、請求項１１に記載の方法。
【請求項１６】
前記ポリマーフィルムが前記バッテリポーチの内層となるように、前記ポリマーフィルムを前記バッテリポーチに固定することを含む、請求項１１に記載の方法。
【請求項１７】
バッテリポーチであって、
バッテリポーチの内層に結合されたポリマーフィルム上に製造及び配列された複数のセンサであって、完成したバッテリのバッテリセルの１つ以上の面の外面に近接するように構成された複数のセンサを備える、バッテリポーチ。
【請求項１８】
前記ポリマーフィルムは、熱接着性材料である、請求項１７に記載のバッテリポーチ。
【請求項１９】
前記接着性材料は、ポリプロピレンフィルムである、請求項１８に記載のバッテリポーチ。
【請求項２０】
前記センサは、測温抵抗体、熱電対、サーモパイル、及びサーミスタのうちの任意の１つ以上として構成される、請求項１７に記載のバッテリポーチ。
【請求項２１】
バッテリポーチであって、
１つ以上のポリマーフィルム上に製造及び配列された複数のセンサであって、バッテリポーチに配置されたバッテリセルの１つ以上の面の外面に近接するように構成されたセンサを備える、バッテリポーチ。
【請求項２２】
前記ポリマーフィルムは、熱接着性材料である、請求項２１に記載のバッテリポーチ。
【請求項２３】
前記熱接着性材料は、ポリプロピレンフィルムである、請求項２２に記載のバッテリポーチ。
【請求項２４】
前記ポリマーフィルムは、前記バッテリポーチの内層に結合される、請求項２１に記載のバッテリポーチ。
【請求項２５】
前記複数のセンサのうちの少なくとも１つは、測温抵抗体である、請求項２１に記載のバッテリポーチ。
【請求項２６】
前記測温抵抗体は、ヒータとして構成される、請求項２５に記載のバッテリポーチ。
【発明の詳細な説明】
【技術分野】
【０００１】
本発明の実施形態は、バッテリに関する。特に、本発明の実施形態は、概ねバッテリ用のセンサに関する。
【背景技術】
【０００２】
モバイル電子機器用のバッテリは、モバイル電子機器の動作にとって重要である。モバイル電子機器のサイズが小さくなり、バッテリへの要求が高まるにつれて、バッテリの動作特性がより重要になっている。また、バッテリを損傷することなくバッテリの充電時間を短縮したいという要望が重要な特徴となっている。例えば、バッテリの動作温度は、バッテリの寿命やバッテリを利用する電子機器の動作に影響を与える可能性がある。
【発明の概要】
【０００３】
バッテリポーチについて説明される。バッテリポーチは、外層と、外層に配置された内層と、を含む。内層は、少なくとも１つのセンサを含む。
本発明の実施形態の他の特徴及び利点は、添付の図面及び以下の詳細な説明から明らかになるであろう。
【０００４】
本発明の実施形態は、同様の参照が同様の要素を示す添付図面の図において、限定ではなく例として示される。
【図面の簡単な説明】
【０００５】
【図１】一実施形態によるセンサ付きバッテリポーチを示す図である。
【図２】一実施形態によるセンサ付きバッテリポーチを示す図である。
【図３】一実施形態によるセンサ付きバッテリポーチを使用して形成されたバッテリを示す図である。
【図４】一実施形態による温度センサを示す図である。
【図５】一実施形態による温度センサを示す図である。
【図６】一実施形態によるバッテリポーチ用のセンサを形成するための方法の流れ図である。
【図７】一実施形態によるポリマーフィルムの複数の部分の上に形成された金属層を示す図である。
【図８】一実施形態による外層を複数の内層に貼り付けるためのプロセスを示す図である。
【図９】一実施形態による外層を複数の内層に貼り付けるためのプロセスを示す図である。
【図１０】測温抵抗体及び静電容量プレートを含む一実施形態による内層を示す図である。
【図１１】一実施形態によるセンサを含むバッテリポーチを示す図である。
【図１２】一実施形態による外層に取り付けられたセンサを含む内層を示す図である。
【図１３】一実施形態による１つ以上のセンサを含むバッテリポーチを示す図である。
【発明を実施するための形態】
【０００６】
本発明の実施形態によるバッテリポーチ用のセンサ及び製造方法が説明される。図１は、一実施形態によるセンサ付きバッテリポーチを示す。バッテリポーチは、外層１０２及び内層１０４を含む。外層１０２はポリマーフィルムである。いくつかの実施形態では、外層１０２は、ポリアミド層、アルミニウム層、及びポリプロピレン層を含むポリマーフィルムである。いくつかの実施形態では、内層１０４はポリマーフィルムである。しかし、内層１０４はまた、本技術分野で知られている材料を含む材料であって、バッテリアセンブリプロセスと互換性のある他の材料で形成してもよい。いくつかの実施形態では、内層１０４は、ポリプロピレンフィルム等の熱接着性材料（heat bondable material）である。
【０００７】
内層１０４は、内層１０４上に配置された１つ以上のセンサ１０６ａ〜１０６ｈを含む。様々な実施形態では、１つ以上のセンサ１０６ａ〜１０６ｈは、付着及びエッチング技術を使用して、内層１０４上に形成される。他の実施形態では、１つ以上のセンサ１０６ａ〜１０６ｈは、内層１０４から分離されたフィルム上に形成され、内層１０４に取り付けられる。例えば、１つ以上のセンサ１０６ａ〜１０６ｈは、フィルム上に形成され、積層技術又は接着剤を使用して内層１０４に取り付けられる。
【０００８】
いくつかの実施形態では、センサ１０６ａ〜１０６ｈは、複数のセンサのアレイとして構成される。センサ１０６ａ〜１０６ｈは、１つ以上の電気配線に接続され、１つ以上の電気接点１０８と電気的に連結されている。電気接点１０８は、接触パッド、ゼロ挿入力（zero insertion force）接続部、又は別の回路と電気的に接続するための他のスタイルを含むが、これらに限定されない。いくつかの実施形態によれば、電気接点１０８は外層１０２を超えて延びるように構成され、これにより、センサ１０６ａ〜１０６ｈはバッテリポーチの外部の１つ以上の回路と電気的に接続され得る。１つ以上の回路は、制御回路及び監視回路を含むことができるが、これらに限定されない。例えば、バッテリポーチの外部の１つ以上の回路は、バッテリの性能を最適化するように構成され得る。
【０００９】
バッテリポーチの内層に配置されたセンサは、温度センサ、ひずみゲージ、静電容量センサ、ガス検知器、ｐＨ検知器、水分検知器、相対湿度検知器、及び基準電圧検知器を含むことができるが、これらに限定されない。１つ以上のセンサを、内層の同じ層又は異なる層に配置してもよい。例えば、複数の金属層及び複数の絶縁層を内層上に配置して、１つ以上のセンサ及び回路を形成してもよい。いくつかの実施形態では、１つ以上のセンサを含む各内層とともに複数の内層を使用してもよい。
【００１０】
ひずみゲージは、バッテリポーチ内の１つ以上のセクションの内部圧力を検出するように構成されている。いくつかの実施形態では、ひずみゲージは、本明細書に記載の技術を使用して、絶縁層などの内層に配置された金属コンスタンタンを使用して形成される。例えば、１つ以上のひずみゲージを使用して、バッテリポーチ内のガスの発生を測定でき、ガスの発生により、バッテリが膨らむ可能性がある。ガスは、電解質の電気化学的酸化によって生成される。このような酸化は、通常、バッテリの故障又は電話やバッテリ充電器内の電子機器の充電不良によるバッテリの過充電が原因で発生する。
【００１１】
静電容量センサは、バッテリポーチ内の１つ以上のセクションの内部圧力を検出するように構成されている。例えば、静電容量センサを使用して、バッテリポーチ内のガスの発生を測定できる。静電容量は、交流電流を使用して、第１のプレートと基準プレートなどの第２のプレートとの間のギャップに基づいて測定される。静電容量が大きいほど、プレート同士が近づく。静電容量が減少すると、プレート間のギャップが増加する。この変化を利用して、バッテリポーチ内のガスの蓄積を判断できる。いくつかの実施形態では、静電容量センサは、静電容量プレートセンサである。静電容量プレートセンサの１つのプレートはバッテリポーチの内層に配置され、静電容量プレートセンサの２つ目の基準プレートはバッテリセルの接地プレートである。そのような実施形態では、ガスがバッテリポーチ内に蓄積するにつれてプレート間のギャップが増加するので、静電容量の減少がバッテリポーチ内のガスの蓄積を示すことになる。しかし、他の実施形態では、静電容量の増加がバッテリポーチ内のガスの蓄積を示すようにプレートを配置することができる。いくつかの実施形態では、第２の基準プレートは、バッテリに組み込まれた別の基準プレートであり、バッテリセルのサブアセンブリに挿入された基準プレート及びバッテリポーチ内のアルミニウム層を含むがこれらに限定されない。
【００１２】
いくつかの実施形態では、基準電圧検出器は、リチウム塩でコーティングされたリチウム金属である。リチウム塩の例には、ヘキサフルオロリン酸リチウム（「ＬｉＰＦ６」）及びテトラフルオロホウ酸リチウム（「ＬｉＢＦ４」）が含まれるが、これらに限定されない。いくつかの実施形態では、使用されるリチウム塩は、バッテリの電解質と共通であるが、アノード、カソード、又は任意の集電コレクタとは接触していない。
【００１３】
温度センサは、測温抵抗体（resistance temperature detector）、熱電対、サーモパイル、及びサーミスタを含むが、これらに限定されない。温度センサは、バッテリポーチ内に形成されたバッテリセルの１つ以上のセクションの温度情報を提供するように構成される。いくつかの実施形態では、測温抵抗体は、抵抗加熱要素として構成されている。抵抗加熱要素として構成された測温抵抗体の場合、測温抵抗体は、電流を受け取り、測温抵抗体を通過させて熱を発生させる電気接点と電気的に連結される。いくつかの実施形態では、測温抵抗体は、抵抗加熱要素及び温度センサの両方として動作するように構成される。バッテリポーチ内に抵抗加熱要素を設けることで、充電前にバッテリを予熱して、電極が電気メッキされるなどのバッテリの劣化を低減することができる。
【００１４】
いくつかの実施形態によれば、１種類以上のセンサはアレイ状に形成され、これにより、１種類以上のセンサは、バッテリポーチ内のバッテリセルの異なるセクションに関する情報を提供するように構成される。いくつかの実施形態では、センサの反対側の内層におけるポリマーフィルムの側面は、バッテリセルからの放熱を促すためのビア及び／又は他の金属形状を形成するように金属化されている。いくつかの実施形態は、表面実装技術（「ＳＭＴ」）の構成要素を内層に取り付けるために使用することができる取付パッドを、内層のポリマーフィルムの側面に形成された金属層から形成することを含む。いくつかの実施形態は、内層のポリマーフィルムの両側に取付温度センサを形成し、バッテリセルの熱流束を計算するために使用することを含む。いくつかの実施形態は、ワイヤレス充電又はエネルギハーベスティング（energy harvesting）に使用することができるコイルを、内層のポリマーフィルムの側面に形成された金属層から形成することを含む。
【００１５】
図２は、一実施形態によるセンサ付きバッテリポーチを示す。センサ付きバッテリポーチの外層２０２は、内層２０４に貼り付けられている。いくつかの実施形態では、外層２０２は、熱を使用して内層２０４に積層されている。他の実施形態は、結合接着剤を使用して、外層２０２を内層２０４に貼り付けることを含む。いくつかの実施形態では、外層２０２は、内層２０４と外層２０２との間に付けられたホットメルトフィルムを使用して、内層２０４に貼り付けられている。
【００１６】
図３は、一実施形態によるセンサ付きバッテリポーチを使用して形成されたバッテリを示す。センサ付きバッテリポーチ３０１は、外層３０２及び本明細書に記載されているようなセンサを含む内層３０４を含む。バッテリは、本明細書に記載のようなセンサ付きバッテリポーチ３０１を形成し、外層３０２及び内層３０４を折り畳んでポーチを形成することによって形成される。センサ付きバッテリポーチ３０１の２つの側辺は、ヒートシール、ヒートメルトシールフィルム、又は他の接着剤を含む技術を使用してシールされている。次に、センサ付きバッテリポーチ３０１は、センサ付きバッテリポーチ３０１の残りの開いた側辺から１つ以上の電極及び電解質で満たされ、本技術分野で知られているものを含む技術を使用してバッテリセルを形成する。センサ付きバッテリポーチ３０１の残りの開いた側辺は、本明細書に記載されているものを含む技術を使用してシールされる。
【００１７】
一実施形態によれば、センサ付きバッテリポーチ３０１が形成されてシールされると、電気接点３０８は、センサ付きバッテリポーチ３０１の外側にある。本明細書で説明するように、電気接点３０８は、センサ付きバッテリポーチ３０１の内層３０４に配置された１つ以上のセンサとの電気的な接続を提供するように構成されている。電気接点３０８は、内層３０１の面上に電気接点３０８が配置されているため、内層３０１によってバッテリ端子３１０ａ，３１０ｂから隔離されており、これによりセンサ付きバッテリポーチ３０１が形成されると、電気接点３０８は、内層３０１におけるバッテリ端子３１０ａ，３１０ｂに隣接する面とは反対側の面上に位置する。
【００１８】
本明細書で説明するようにバッテリポーチの内面にセンサを配置することにより、アルミニウムがヒートスプレッダーとして作用し、「ホットスポット（hot spot）」の感度を低下させるため、温度センサが現在のバッテリポーチで使用されているようなアルミニウム層の外側に配置されている場合と比較して、より正確な測定が提供される。さらに、バッテリポーチの内面にセンサを設けることにより、充電中のバッテリの詳細なヒートマッピングを測定する機能が提供され、バッテリの充電速度を最大化することができる。例えば、充電コントローラは、安全温度が確認されるまで、より多くの電力を供給できる。バッテリポーチの内面にあるセンサによって可能になる放電中のヒートマッピングは、安全性向上機能又は性能向上機能にも使用できる。
【００１９】
本明細書に記載の実施形態によれば、センサをバッテリポーチに組み込むことにより、バッテリアセンブリに使用される製造プロセス及び組み立て方法を実質的に不変とすることができる。これにより、バッテリの製造プロセスを実質的に変更せずに、センサ付きバッテリポーチを使用して形成されたバッテリを構築できるため、サプライチェーンへのシームレスな統合と迅速な採用につながる。さらに、バッテリポーチの内層の任意の位置に１つ以上のセンサを配置できることによって、バッテリポーチに配置されたバッテリセルの１つ以上の面の別々の部分を監視して、バッテリセルのホットスポット又は他の問題をより精度良く検出できるようになる。
【００２０】
図４は、一実施形態による温度センサを示す。温度センサ４０２は、第１の電気配線４０４ａ及び第２の電気配線４０４ｂと電気的に連結された測温抵抗体として構成されている。温度センサ４０２は、ポリマーフィルム４０６上に配置された蛇行線として構成されている。蛇行線は、蛇行線の第１の端部で第１の電気配線４０４ａに電気的に接続され、蛇行線の第２の端部で第２の電気配線４０４ｂに電気的に接続されている。
【００２１】
図５は、ボイドを含む電気配線と電気的に連結された一実施形態による温度センサを示す。温度センサ５０２は、第１の電気配線５０４ａ及び第２の電気配線５０４ｂと電気的に連結された測温抵抗体として構成されている。温度センサ５０２は、ポリマーフィルム５０６上に配置された蛇行線として構成されている。蛇行線は、蛇行線の第１の端部で第１の電気配線５０４ａに電気的に接続され、蛇行線の第２の端部で第２の電気配線５０４ｂに電気的に接続されている。電気配線５０４ａ，５０４ｂは、電気配線の表面内に形成されたボイドを有するように形成されて、内層のポリマーフィルム５０６の一部を露出させる。一実施形態によれば、ボイドは、内層に配置された電気配線及び他の金属形成物内のパターンで形成されて、内層のポリマーフィルム５０６の所望の割合を露出させることができる。内層のポリマーフィルム５０６の露出した部分は、本明細書に記載されているものを含む積層技術を使用して、内層を外層に接着するために利用可能な領域を増加させ、内層と外層との間の層間剥離を防止するのを助ける。
【００２２】
図６は、一実施形態によるバッテリポーチ用のセンサを形成するための方法の流れ図を示す。ステップ６０１において、センサ付きバッテリポーチの内層を形成するために、１つ以上の金属層がポリマーフィルム上に形成される。スパッタリング、無電解メッキ、化学蒸着、又は本技術分野で知られているものを含む金属層を形成するための他の技術を含む技術を使用して、１つ以上の金属層がポリマーフィルム上に形成される。金属層は、ニッケル、ニッケルクロム、プラチナ、及びその他の導電性材料を含み得る。いくつかの実施形態では、プラチナを使用して、１つ以上のひずみゲージを形成する。ステップ６０２において、１つ以上のセンサが金属層に形成される。１つ以上のセンサのための１つ以上の電気接点もまた、ステップ６０２で金属層に形成される。いくつかの実施形態によれば、金属層内に１つ以上のセンサを形成することは、金属層上にポリイミド層などのフォトレジスト層を形成すること、及びフォトレジスト層にパターンを形成することを含む。フォトレジスト層は、スパッタリング、化学蒸着、溶射、及びスクリーン印刷技術を含むがこれらに限定されない技術を使用して付けられる。いくつかの実施形態では、プラチナ層は内層に配置され、ニッケルは同じ内層に配置される。フォトレジストには、例えば、本技術分野で知られているものを含むフォトリソグラフィ及びエッチング技術を使用してパターンが形成される。実施形態では、例えばひずみゲージを形成するためのプラチナ層と、例えば測温抵抗体を形成するためのニッケル層とを含み、プラチナ層に影響を与えることなくニッケル層をエッチングすることができる。さらに、ニッケル層をプラチナ層上に直接配置することができる。次に、フォトレジスト層の一部をエッチングで除去することによって露出された金属層の部分がエッチングされて、センサ、電気配線、電気接点、及び他の回路構成要素が形成される。いくつかの実施形態によれば、レーザーアブレーションを使用して、金属層からセンサ、電気配線、電気接点、及び他の回路構成要素が形成される。ステップ６０３において、バッテリポーチの外層は、本明細書に記載されているものを含む技術を使用して、バッテリポーチの内層に貼り付けられる。
【００２３】
ステップ６０４において、金属層に形成された電気接点がメッキされる。いくつかの実施形態では、電気接点は、本技術分野で知られているものなど、無電解ニッケル浸漬金（ＥＮＩＧ）技術を使用して金でメッキされる。いくつかの実施形態によれば、電気接点は、外層がセンサ付きバッテリポーチの内層に貼り付けられた後に金メッキされる。外層を含むセンサ付きバッテリポーチ全体が、マスクを使用せずに電気接点を露出させて、金メッキ用の溶液槽に浸される。いくつかの他の実施形態によれば、電気接点は、外層がバッテリポーチの内層に貼り付けられる前に金メッキされる。これは、例えば、電気接点の金メッキに使用されるメッキの溶液槽に外層を浸すことができない場合に使用され得る。例えば、電気接点を含むバッテリポーチの内層の縁をメッキの溶液槽に浸すことにより、電気接点を選択的にメッキすることができる。いくつかの実施形態によれば、弾帯垂直（bandoleer vertical）ＥＮＩＧプロセスは、電気接点を金メッキするために使用される。次に、電気接点に金メッキを施した後、外層をバッテリポーチの内層に貼り付けることができる。
【００２４】
図７は、本明細書に記載されているものを含む技術を使用して、バッテリポーチの複数の内層を形成するためにポリマーフィルムの複数の部分上に形成された金属層を示す。いくつかの実施形態によれば、ポリマーフィルムは、オープンリール式（reel to reel）の製造プロセスのウェブに取り付けられて、ポリマーフィルム上に１つ以上のセンサを形成する。オープンリール式の製造プロセスは、本明細書に記載されているものを含む技術を使用して、金属層を形成し、金属層に１つ以上のセンサを形成する。センサが形成されたバッテリポーチの内層のシートは、本技術分野で知られているものを含む技術を使用してスリットカットされ、シートを内層の別々の列に分離することができる。
【００２５】
図８は、一実施形態による外層を複数の内層に貼り付けるためのプロセスを示す。図８に示されるように、バッテリポーチ８０１の外層は、内層８０２の列に貼り付けられている。次に別のステップにおいて、形成された個々のバッテリポーチは、例えば、本明細書に記載されているものを含むスリットカット技術を使用することによって分離することができる。図９は、一実施形態による外層を複数の内層に貼り付けるためのプロセスを示す。図９に示されるように、外層９０２のロール９０１は、内層９０４の１つ以上の列に配置することができ、外層９０２は、熱を加えるためにフェンス９０６を使用して内層９０４に熱積層することができる。
【００２６】
図１０は、測温抵抗体及び静電容量プレートを含む一実施形態による内層を示す。測温抵抗体１００２ａ〜１００２ｆは、本明細書に記載されているものを含む技術を使用して、内層１００１上に配置されている。内層１００１はまた、内層１００４上に配置された中心接地線１００４を含む。中心接地線１００４は、測温抵抗体１００２ａ〜１００２ｆの接地接点として構成されている。各測温抵抗体１００２ａ〜１００２ｆの第１の端部は、中心接地線１００４と電気的に連結され、各測温抵抗体１００２ａ〜１００２ｆの第２の端部は、各測温抵抗体及び静電容量プレート１００４を１つ以上の電気接点１００８に電気的に連結する電気配線１００６と電気的に接続されている。中心接地線１００４はまた、静電容量プレートセンサのための第１のプレートとして構成されている。
【００２７】
いくつかの実施形態では、測温抵抗体１００２ａ〜１００２ｆはそれぞれ温度センサとして構成され、中心接地線１００４は第２のプレートと対になって、圧力／ギャップセンサとして使用する静電容量プレートセンサを形成する。いくつかの実施形態では、静電容量センサの第２のプレートは、バッテリセルの接地プレートである。他の実施形態では、第２のプレートは、バッテリポーチ内の第２の内層に配置されている。バッテリポーチはまた、ひずみゲージの形態で膨潤センサ（swelling sensor）／ガスセンサ１１０６を含む。
【００２８】
様々な実施形態では、１つ以上の測温抵抗体１００２ａ〜１００２ｆは、本明細書に記載されているものを含む技術を使用して、抵抗加熱要素として構成されている。温度センサ、ガス圧センサ、及びバッテリ予熱器用のヒータを含むそのような内層１００１を含むバッテリポーチは、交流電流を使用してバッテリのガス圧をチェックし、いくつかの測温抵抗体で温度を監視し、少なくともいくつかの測温抵抗体に電流を流すことによりバッテリに熱を供給することを可能にする。
【００２９】
図１１は、一実施形態によるセンサを含むバッテリポーチを示す。バッテリポーチ１１０１は、いくつかの内層１１０２を含む。内層１１０２の１つは、いくつかのセンサを含む。センサは、測温抵抗体１１０４を含む。これらは、本明細書に記載されているものを含む技術を使用して、温度センサ、ヒータ、及び両方として構成することができる。センサはまた、膨潤センサ／ガス圧センサとして構成されたひずみゲージ１１０８を含む。センサは、内層１１０２のうちの１つに配置されているものとして示されている。しかし、実施形態は、本明細書に記載されているものを含む技術を使用して、２つ以上の内層上に形成されたセンサを有するものを含む。他の内層１１０２は、センサを他の層から隔離するためにバッテリポーチ内においてセンサと他の層との間に配置され、例えばセンサが別の導電性材料と電気的に接触して短絡を引き起こすことを防ぐ。バッテリポーチ１１０１は、本明細書に記載されているような外層１１１０を含む。外層１１１０は、本明細書に記載されているものを含む技術を使用して、内層１１０２及びバッテリセル１１１２を取り囲む。
【００３０】
図１２は、一実施形態による外層に取り付けられたセンサを含む内層を示す。内層１２０４は、本明細書に記載されているようなセンサ１２０６を含む。外層１２０２は、非導電性接着剤、ヒートシールテープ、又は他の材料などの接着剤を使用して内層１２０６に貼り付けられる。他の実施形態では、導電性接着剤を使用して、センサ又は他の回路を外層１２０２に電気的又は熱的に連結することができる。いくつかの実施形態では、外層を積層するために一般的に使用される接着剤は、センサとバッテリポーチの残りの部分との間の絶縁体として使用される。その結果、接着剤は、センサと、バッテリポーチのアルミニウム層などの外層との間の絶縁体、及びセンサ層のバッテリポーチへの接着という２つの目的を果たす。センサ層はまた、セルが組み立てられてバッテリポーチ内に配置されるときにポーチをシールするという本来の目的を果たす。さらに、他の実施形態は、バッテリポーチ材料で組み立てられる前に、追加の層又は複数の材料の層で覆われた金属回路を含むことがある。この時点でセンサは保護材に包まれているため、金属センサを包むためにセンサ回路をバッテリポーチの内面にシールする必要は必ずしもない。上部の絶縁層は、使用する場合、パターンが形成された又はパターンが形成されてないポリプロピレンフィルム、はんだマスク、パターンが形成されたヒートシールテープ、又はその他の材料とすることができる。いくつかの実施形態では、センサ回路は、バッテリポーチのフルサイズをカバーすることができる。これは、センサがバッテリセルの両側にあるようにバッテリセル上に折りたたまれたセンサを含むワンピースの内層を利用することによって、バッテリの両側に配置された１種類以上のセンサを含むことができる。代替的に、実施形態は、所望の場合にセンサがバッテリセルの両側に配置されるように、各内層がバッテリポーチの内面に貼り付けられた状態で、各内層上に１種類以上の１つ以上のセンサを含む２つ以上の内層を使用することを含む。センサは、バッテリポーチのごく一部を覆うように設計できる。例えば、バッテリセルの片面のごく一部だけが覆われてもよい。センサが覆うエリアの量は、コストと性能とのトレードオフになり得るため、実装される可能性が最も高い設計は、コストと性能の両方に対して最適化される。
【００３１】
図１３は、一実施形態による１つ以上のセンサを含むバッテリポーチを示す。センサは、本明細書に記載されているものを含む技術を使用して、バッテリポーチの１つ以上の内層上に配置されている。内層は、外層によって囲まれたバッテリセル上に配置され、本明細書に記載の技術を含む技術を使用してバッテリポーチを形成する。電気接点は外層を超えて延び、１つ以上のセンサをバッテリポーチの外部の回路に電気的に連結できるようにする。例えば、１つ以上のセンサは、任意の数のバッテリセルのバッテリ監視機能を実行し、Ｉ２Ｃ又は他の通信インターフェースなどのいくつかの業界通信方法のうちの１つを使用してコントローラを介して直接的又は間接的にセンサにインターフェースするように構成された外部バッテリ管理システムと電気的に連結されてもよい。いくつかの実施形態では、電気接点はメッキされず、異方性導電フィルム（「ＡＣＦ」）技術、ゼロ挿入力コネクタ、又は他の方法を使用して外部電子機器に接続されてもよい。電気接点はシールされたバッテリセクション内に収容され得る。この場合、フレックス回路又は代替のワイヤーハーネスがシールされたバリアを超えて内部でセンサ回路に接続する。これには、電気接点をバッテリの電解液から分離するように、接続部をシールする必要があり得る。
【００３２】
本明細書に記載の任意の種類の１つ以上のセンサのアレイを含むセンサは、バッテリセルに代えて充電コントローラと一体化され得、安全な方法で最適な充電時間を可能にし、寿命を延ばし、劣化する前の使用回数を増やし、危機的な状態が発生した場合に動作を停止させることができるようになる。
【００３３】
これらの実施形態に関連して説明したが、当業者であれば、本発明の精神及び範囲を逸脱せずに形状や細部を変更できると理解するであろう。
【図１】
2021536585.tif 000003
【図２】
2021536585.tif 000004
【図３】
2021536585.tif 000005
【図４】
2021536585.tif 000006
【図５】
2021536585.tif 000007
【図６】
2021536585.tif 000008
【図７】
2021536585.tif 000009
【図８】
2021536585.tif 000010
【図９】
2021536585.tif 000011
【図１０】
2021536585.tif 000012
【図１１】
2021536585.tif 000013
【図１２】
2021536585.tif 000014
【図１３】
2021536585.tif 000015
【国際調査報告】
2021536585.tif 000016
2021536585.tif 000017